(57)【要約】      （修正有）【課題】タンクの温度や圧力を検出して、自然気化に加えて補助的に気化を促進するタンク内の液化ガスを加熱気化する、構造、取付が簡単で、安全な液化ガス貯蔵タンク用加熱気化装置を提供する。【解決手段】ＩＨヒータ装置５、タンク温度検出センサ６、タンク圧力検出センサ７、インバータ電源２及びインバータ制御部３を備える。ＩＨヒータ装置５は、円筒壁１２にバンド１１により取り付けられる防爆ケース１０と、誘導加熱用コイル９及び誘導加熱用コイル９の温度を検出するコイル温度検出センサ８とを有する。タンク圧力検出センサ７は、液取出しバルブ２３に取り付けられており、インバータ制御部３は、タンク温度検出センサ６、タンク圧力検出センサ７及びコイル温度検出センサ８の検出出力を入力して、インバータ電源２を制御する。【選択図】図１
0003153422.tif 000002
【実用新案登録請求の範囲】
【請求項１】
ＩＨヒータ装置、タンク温度検出センサ、タンク圧力検出センサ、インバータ電源及びインバータ制御部、を備え、円筒壁を有する液化ガス貯蔵タンクを加熱して該液化ガス貯蔵タンク内に貯蔵された液化ガスを加熱して気化する液化ガス貯蔵タンク用加熱気化装置であって、
前記ＩＨヒータ装置は、液化ガス貯蔵タンクの円筒壁の外面に沿う形状の凹湾曲面である取付面を備えた防爆ケースと、該防爆ケースを液化ガス貯蔵タンクの円筒壁に沿って取り付けるバンドと、該防爆ケース内に設けられた誘導加熱用コイル及び該誘導加熱用コイルの温度を検出するコイル温度検出センサと、を有し、
タンク温度検出センサは、前記ＩＨヒータ装置と分離して前記液化ガス貯蔵タンクの外壁面に取り付けられており、
前記タンク圧力検出センサは、前記液化ガス貯蔵タンクに設けられた液取出しバルブに取り付けられておりタンク内圧力を検出するものであり、
前記インバータ電源は、前記誘導加熱用コイルに交流電流を供給するインバータを備えており、
前記インバータ制御部は、前記タンク温度検出センサ、タンク圧力検出センサ及びコイル温度検出センサの検出出力を入力して、タンク温度、タンク内圧力及びコイル温度の検出結果に応じてインバータ電源を制御することを特徴とする液化ガス貯蔵タンク用加熱気化装置。
【請求項２】
前記液取出しバルブ及びタンク圧力検出センサは、施錠可能なプロテクタケース内に配置されており、
前記タンク温度検出センサ、タンク圧力検出センサ及びコイル温度検出センサからのケーブルは、前記プロテクタケース内に配置された端子ボックスを介して、前記インバータ制御部に接続されていることを特徴とする請求項１記載の液化ガス貯蔵タンク用加熱気化装置。
【請求項３】
前記防爆ケースにおいて、少なくとも取付面を有する取付部は樹脂又はガラスで形成されていることを特徴とする請求項１又は２記載の液化ガス貯蔵タンク用加熱気化装置。
【請求項４】
前記液化ガス貯蔵タンクの円筒壁の外周面に対向する前記誘導加熱用コイルの面は、前記円筒壁の外周面との間の距離が一定となるように形成されていることを特徴とする請求項１、２又は３記載の液化ガス貯蔵タンク用加熱気化装置。
【請求項５】
前記円筒壁を有する液化ガス貯蔵タンクは、円筒壁の軸心が水平である横型タンク又は円筒壁の軸心が垂直である縦型タンクであることを特徴とする請求項１、２、３又は４記載の液化ガス貯蔵タンク用加熱気化装置。
【考案の詳細な説明】
【技術分野】
【０００１】
この考案は、液化石油ガス（ＬＰＧ）、炭酸ガス、アンモニア、酸素、窒素、アルゴン、水素、ジメチルエーテル（ＤＭＥ）、重油等の液化ガスが貯蔵されたタンクに取り付けて、タンク内の液化ガスを加熱して気化する液化ガス貯蔵タンク用加熱気化装置に関する。
【背景技術】
【０００２】
従来、ＬＰＧタンク内に充填されたＬＰＧは、特に加熱等することなく自然気化（常温で気化）させて、取り出して使用していた。
【０００３】
また、ＬＰＧタンクに設けられた液取出管を加熱ヒータで加熱して、ＬＰＧの取り出し途中で積極的に加熱して気化する加熱気化装置が知られている（特許文献１、２参照）。
【０００４】
さらに、ＬＰＧタンクを直接加熱して気化させるＬＰＧタンク用気化熱供給装置が公知である（特許文献３参照）。このＬＰＧタンク用気化熱供給装置では、ＬＰＧタンクの底面部にコイル組付体が取り付けられており、インバータ部から交流電流がコイルに供給されると、ＬＰＧタンクの底面部に渦電流が発生し、誘導加熱が行われ、ＬＰＧタンク内の底面部付近のＬＰＧは暖められ、対流によって上昇し、ＬＰＧ全体の温度が均一化され、気化が円滑に行われるものであり、タンク温度検出用センサによるインバータ制御部によって、タンク内の温度が法令により禁止されている４０℃以上にならならないように監視を行っている。
【先行技術文献】
【特許文献】
【０００５】
【特許文献１】実開平５−６１４１号公報
【特許文献２】特開平６−２３９１５０号公報
【特許文献３】特開２００３−１９４２９８号公報
【考案の概要】
【考案が解決しようとする課題】
【０００６】
上記従来の自然気化によると、タンク内のＬＰＧの貯蔵量が多い状態の場合は問題ないが、少なくなってくると気化熱によりタンク内外の温度が下がり、また貯蔵量が少ないためにＬＰＧとタンク内壁面との接触面積が小さくなり、外部から気化熱を奪えなくなり、ＬＰＧの気化がしにくくなると言う問題が生じる。
【０００７】
また、従来のＬＰＧをタンクに接続された液取出管の途中を加熱ヒータで加熱する加熱気化装置は、自然気化で生じる上記問題を解決できるが、温水や電気ヒータ等による加熱ヒータを設けなくてはならないので、構造が複雑となり、効率が悪く、コストアップ等の問題が生じる。
【０００８】
また、特許文献３に開示されたＬＰＧタンク用気化熱供給装置は、次のような課題がある。
（１）コイル組付体の略中央にＬＰＧタンクの温度検出を行うためのタンク温度検出用センサを設けているが、このように、コイル組付体による加熱されるタンク部分にタンク温度検出用センサを設けると、コイル組付体による加熱を直接受けた状態のタンク温度が測定され、タンクの適正温度が正確に測定できない。
【０００９】
（２）従来は、タンク圧力を検出するためにタンク温度検出センサをタンク表面に取り付け、タンク表面温度よりタンク内圧力を推測する方法であるので、正確にタンク内圧力が測定できない。又、タンク内圧力を検出するためのタンク圧力検出センサをタンク内に挿入するようにすることは、高圧容器である為、既設品では困難である。
【００１０】
（３）コイル組付体の取付面を、全体的に、タンクの三次曲面で形成された球面状端部（底部）に沿って取り付けられるように、三次曲面に形成しなくてはならないが、コイル組付体の取付面を円筒状のタンクの三次曲面に合うように三次曲面に形成することは、技術的にきわめて難しい。
【００１１】
（４）コイルと被加熱物であるタンク壁との距離は、磁束をタンク壁に対して均一に当てるためにほぼ一定にする必要があるが、このために、コイルをタンクの三次曲面に合うように三次曲面に形成することは困難である。
【００１２】
（５）上記取付面、磁石及びコイルの面がタンクの三次曲面で形成された球面に正確に沿わない場合等、磁石で吸着していてもずれやすく、特に、地震や風雨等によりはずれる等のおそれもあり、磁石による吸着構造についてはさらに改善の必要性がある。特に、車輌搭載用のタンクの場合等、振動等によりずれやすくなる。さらに、取付け用の磁石の強さや位置、或いは磁束の方向によっては、コイル加熱用の磁束又はタンク表面に生じる渦電流を弱めて悪影響を与えるので、取付け用の磁石の力を弱める必要があり、吸着力が弱くなり、上記ずれ等の問題が顕著となってしまう。
【００１３】
本考案に係る液化ガス貯蔵タンク用加熱気化装置は、自然気化による問題を解決するために、自然気化に加えて補助的に気化を促進するタンク内の液化ガスを加熱気化する加熱気化装置を実現するものである。
【００１４】
そして、本考案に係る液化ガス貯蔵タンク用加熱気化装置は、記液取出管にヒータを設ける加熱気化装置に較べてきわめて構造が簡単であり、しかも上記特許文献３に示す従来のＬＰＧタンク用気化熱供給装置の課題を解決する構造を備えた液化ガス貯蔵タンク用加熱気化装置を実現するものである。
【課題を解決するための手段】
【００１５】
本考案は上記課題を解決するために、ＩＨヒータ装置、タンク温度検出センサ、タンク圧力検出センサ、インバータ電源及びインバータ制御部、を備え、円筒壁を有する液化ガス貯蔵タンクを加熱して該液化ガス貯蔵タンク内に貯蔵された液化ガスを加熱して気化する液化ガス貯蔵タンク用加熱気化装置であって、前記ＩＨヒータ装置は、液化ガス貯蔵タンクの円筒壁の外面に沿う形状の凹湾曲面である取付面を備えた防爆ケースと、該防爆ケースを液化ガス貯蔵タンクの円筒壁に沿って取り付けるバンドと、該防爆ケース内に設けられた誘導加熱用コイル及び該誘導加熱用コイルの温度を検出するコイル温度検出センサと、を有し、タンク温度検出センサは、前記ＩＨヒータ装置と分離して前記液化ガス貯蔵タンクの外壁面に取り付けられており、前記タンク圧力検出センサは、前記液化ガス貯蔵タンクに設けられた液取出しバルブに取り付けられておりタンク内圧力を検出するものであり、前記インバータ電源は、前記誘導加熱用コイルに交流電流を供給するインバータを備えており、前記インバータ制御部は、前記タンク温度検出センサ、タンク圧力検出センサ及びコイル温度検出センサの検出出力を入力して、タンク温度、タンク内圧力及びコイル温度の検出結果に応じてインバータ電源を制御することを特徴とする液化ガス貯蔵タンク用加熱気化装置を提供する。
【００１６】
前記液取出しバルブ及びタンク圧力検出センサは、施錠可能なプロテクタケース内に配置されており、前記タンク温度検出センサ、タンク圧力検出センサ及びコイル温度検出センサからのケーブルは、前記プロテクタケース内に配置された端子ボックスを介して、前記インバータ制御部に接続されていることを特徴とする請求項１記載の液化ガス貯蔵タンク用加熱気化装置を提供する。
【００１７】
前記防爆ケースにおいて、少なくとも取付面を有する取付部は樹脂又はガラスで形成されている。
【００１８】
前記液化ガス貯蔵タンクの円筒壁の外周面に対向する前記誘導加熱用コイルの面は、前記円筒壁の外周面との間の距離が一定となるように形成されていることが好ましい。
【００１９】
前記円筒壁を有する液化ガス貯蔵タンクは、円筒壁の軸心が水平である横型タンク又は円筒壁の軸心が垂直である縦型タンクである。
【考案の効果】
【００２０】
以上の構成から成る本考案に係る液化ガス貯蔵タンク用加熱気化装置によると、自然気化の場合においてタンク内で液化燃料少なくなった際に生じる周囲の温度低下による気化の低減等の問題がなくなり、また、液取出管に加熱ヒータを設けた加熱気化装置に較べて構造が簡単となる。
【００２１】
さらに、次のような顕著な効果が生じる。
（１）液化ガス貯蔵タンク用加熱気化装置における誘導加熱ヒータ（以下、「ＩＨヒータ」という。）の取付箇所とは離れた箇所にタンク温度検出用センサを取り付ける構成としたので、ＩＨヒータの加熱を直接受けない状態でタンク温度を検出できる。
【００２２】
（２）タンク圧力検出センサは、液取出しバルブに取り付けてタンク内の圧力を検出する構成としたので、タンク内圧力を正確に検出でき、タンク圧力検出センサの取付構造がきわめて簡単となり、しかもタンクに直接取り付けるのではないから、既設品に設置することもできる。
【００２３】
（３）ＩＨヒータの取付部の取付面の形状を、円筒状のタンクの二次円曲面で形成された円筒壁の外面に沿って取り付けられるようにしたので、ＩＨヒータの取付部の取付面及びコイルの形状を、円筒状のタンクの円筒壁の外周面に、よりフィットした面は簡単に製作可能である。
【００２４】
（４）コイルを円筒状のタンクの二次曲面である円筒壁の外面に合うように形成すればよいので、三次曲面に形成することに較べると比較的容易であり、従って、コイルと被加熱物であるタンク壁との距離をほぼ一定にし易く、磁束をタンク壁に対して均一に当てることができる。
【００２５】
（５）バンドによってＩＨヒータを円筒状のタンクの円筒壁の外面に簡単に取り付けられる構成としたので、磁石により吸着した構成に較べて、取り付けの安定性が増し、地震や風雨によってもずれたり外れたりするようなことがない。車輌等に搭載して使用する場合にも安定性が確保できる。
【００２６】
本考案に係る液化ガス貯蔵タンク用加熱気化装置は、自然気化による問題を解決するために液化ガスタンクを加熱気化する気化装置であって、上記液取出管にヒータを設ける加熱気化装置に較べてきわめて構造が簡単であり、しかも上記特許文献３に示す従来のＬＰＧタンク用気化熱供給装置の課題を解決する構造を備えた液化ガス貯蔵タンク用加熱気化装置を実現するものである。
【図面の簡単な説明】
【００２７】
【図１】本考案の液化ガス貯蔵タンク用加熱気化装置の実施例１の構成を説明する図である。
【図２】実施例１の要部の構成を説明する図であり、（ａ）はＩＨヒータ装置であり、（ｂ）はＩＨヒータ装置のタンクへの取り付け構造を説明する図であり図１のＡ−Ａ断面を示す図である。
【図３】本考案の液化ガス貯蔵タンク用加熱気化装置の実施例２の構成を説明する図である。
【図４】本考案の液化ガス貯蔵タンク用加熱気化装置の実施例３の構成を説明する図である。
【図５】本考案の液化ガス貯蔵タンク用加熱気化装置の実施例４の構成を説明する図である。
【考案を実施するための形態】
【００２８】
本考案に係る液化ガス貯蔵タンク用加熱気化装置を実施するための最良の形態を実施例に基づいて図面を参照して説明する。本考案の対象とする液化ガスとしては、液化石油ガス（ＬＰＧ）、炭酸ガス、アンモニア、酸素、窒素、アルゴン、水素、ジメチルエーテル（ＤＭＥ）、重油等の液化ガスである。
【００２９】
本考案は、円筒壁を有する液化ガス貯蔵タンク（円筒状の液化ガス貯蔵タンク）を加熱して、液化ガスの気化を促進する液化ガス貯蔵タンク用加熱気化装置である。液化ガス貯蔵タンク用加熱気化装置の設置対象である液化ガス貯蔵タンクとしては、横型タンク（円筒壁の軸心が水平のタンク）及び竪型タンク（円筒壁の軸心が垂直のタンク）がある。具体的な構成は、以下の実施例において説明する。
【実施例１】
【００３０】
図１は、本考案に係る液化ガス貯蔵タンク用加熱気化装置（以下、単に「加熱気化装置」ともいう。）の実施例１の構成を説明する図である。この加熱気化装置は、脚４で支持された横型の液化ガス貯蔵タンク（以下単に「タンク」とも言う。）１に取り付ける構成として示されており、インバータ電源２、インバータ制御部３、ＩＨヒータ装置（誘導加熱ヒータ装置）５、タンク温度検出センサ６及びタンク圧力検出センサ７を備えている。
【００３１】
インバータ電源２は、図示しないが交流電源及びインバータ等を備えており、ＩＨヒータ装置の後記する誘導加熱用コイルに交流電流を供給する装置である。
【００３２】
インバータ制御部３は、タンク温度検出センサ６、タンク圧力検出センサ７及び後記するコイル温度検出センサ８から検出出力を入力して、それらのセンサの検出状態に応じて、インバータ電源２を制御し、ＩＨヒータ装置５の後記する誘導加熱用コイル９に供給する交流電流の調整及びそのオン・オフ制御を行う装置である。
【００３３】
ＩＨヒータ装置５は、図２（ａ）の想像線（二点鎖線）で示すような防爆ケース１０内に誘導加熱用コイル（以下、単に「コイル」とも言う。）９とコイル温度検出センサ８が設けられ、さらに取付用のバンド１１が設けられて構成される。防爆ケース１０は、全体的には、ほぼ矩形状の箱体であるが、タンク１の円筒壁１２の外周面に当接して取り付ける取付部１３の取付面１４は凹湾曲面に形成されている。
【００３４】
この取付面１４は、図２（ａ）、（ｂ）に示すように、円筒壁１２を有する液化ガス貯蔵タンク１の円筒壁１２の半径Ｒ（許容公差がタンク容量により違いがある。）の外周面（二次円曲面）１５に沿うような、曲率半径Ｒ１を有する円曲面（二次円曲面）から形成されている。ここで、Ｒ１＝Ｒ＋２〜８ｍｍである。要するに、Ｒ１はＲより２〜８ｍｍ程度大きく形成する。なお、ここで、２〜８ｍｍは一例であって、円筒壁１２の半径Ｒの寸法に応じて適宜、設定する設計事項である。
【００３５】
防爆ケース１０は、少なくとも、タンク１の円筒壁１２に当接して取り付ける取付部１３は、コイル９の磁束による影響を受けないように、樹脂又はガラスで形成し、残りの部分１６を金属（例えば、アルミニウム、スチール等）で形成するが、防爆ケース１０全体を樹脂（強化樹脂等の強度を有する樹脂）で形成してもよい。
【００３６】
ＩＨヒータ装置５のコイル９は、図２（ａ）に示すように、全体的に矩形状且つ凹湾曲状のリングとして形成されており、タンク１の円筒壁１２の外周面に対面する内面１７は、図２（ａ）、（ｂ）に示すように、タンク１の外周面１５との距離が一定ｓとなるような曲率半径Ｒ２で形成される。
【００３７】
要するに、コイル９の内面の曲率半径Ｒ２は、Ｒ２＝Ｒ＋ｓである。ここで、ｓは、円筒状のタンク１の半径及びコイル９の規模、磁束の強さ等により、適宜、設計して決められる。例えば、ｓ＝５〜４０ｍｍ程度である。このような構成とすることにより、コイル９による磁束をコイル９の対向するタンク１の外面へ均等に作用（透過）させ効果的な加熱を可能とする。なお、ここで、ｓ＝５〜４０ｍｍは一例であって、コイル９の内面の曲率半径Ｒ２の寸法に応じて適宜、設定する設計事項である。
【００３８】
図２（ｂ）に示すように、ＩＨヒータ装置５は、その取付面１４をタンク１の円筒壁１２の外周面１５である底面に当接し、取付用のバンド１１によって締着して取り付けられる。バンド１１は、スチール等の金属バンド、又は樹脂製のバンドを利用する。バンド１１の両端は、周知のバックル等の締結具１８により互いに締結されるように構成されている。
【００３９】
防爆ケース１０内には、コイル９の近くにコイル温度検出センサ８が設けられている。このコイル温度検出センサ８は、熱電対、サーミスタ等を利用し、その検出出力がインバータ制御部３に送られるように、ケーブル２１でインバータ制御部３に接続されている。
【００４０】
コイル温度検出センサ８は、コイル９の温度を測定し、その検出出力をインバータ制御部３にケーブル２１で送り、インバータ電源２を制御してコイル９への交流電流を調整又はオン・オフして、コイル９自体が設定温度以上の高温にならないように制御するための機能を有する。本実施例では、温度測定の信頼性を確保するために、２つのコイル温度検出センサ８を設けているが、１つ又は３以上でもよい。
【００４１】
タンク温度検出センサ６は、図１に示すように、ＩＨヒータ装置５が取り付けられている箇所とは分離して（距離を離して）、タンク１の球面状の端部壁２２に装着されている。タンク温度検出センサ６は、熱電対、サーミスタ等から成り、端部壁２２に接触して取り付けられる構造となっている。これにより、タンク温度が測定可能である。タンク温度検出センサ６は、その検出出力がインバータ制御部３に送られるように、ケーブル１９でインバータ制御部３に接続されている。
【００４２】
タンク温度検出センサ６は、タンク１の外壁面の温度を測定するが、このようなタンク１の外壁面の温度とその温度に対応するタンク１内の温度を予め測定して相関グラフを作成しておけば、タンク１の外壁面の温度を測定することで、タンク内の温度を実質的に知ることができる。
【００４３】
このようにタンク温度を測定し、その検出値をインバータ制御部３に送り、インバータ電源２を制御してコイル９への交流電流を調整又はオン・オフする。これにより、タンク温度検出センサ６で、法令で規定されたタンク内温度の上限値である４０℃以上とならないように制御することができる。
【００４４】
ところで、本考案では、タンク温度検出センサ６は、ＩＨヒータ装置５と共に組み込むような構成ではなく、ＩＨヒータ装置５の取付箇所とは離れた箇所にとりつけられる構成としたので、ＩＨヒータ装置５による加熱の影響を直に受けることがなく、タンク１内の温度をより正確に反映して測定することができる。
【００４５】
タンク圧力検出センサ７は、図１に示すように、液取出し口に栓２３’を装着して閉じ、液取出しバルブ２３を開とした状態で取り付けられている。このような状態とすれば、圧力はタンク内圧力と同じであるから、タンク内圧力を検出することができる。タンク圧力検出センサ７を液取出しバルブ２３に取り付ける構成は、タンク１の本体に取り付ける構成に較べて、製作が簡単となり、しかもタンク１に直接、取付のための工作を施すようなことがないので、タンク１の強度に影響を及ぼすことがない。
【００４６】
なお、液取出しバルブ２３及びタンク圧力検出センサ７は、図１に想像線（二点鎖線）で示すように、プロテクタケース２６内に配置して保護される構成としている。タンク圧力検出センサ７は、検出圧力を電気出力（電気信号）として変換する周知のタンク圧力検出センサ（例．圧電素子、ストレインゲージ、半導体タンク圧力検出センサ等）を利用すれば良い。
【００４７】
そして、タンク圧力検出センサ７は、その検出値がインバータ制御部３に送られるようにインバータ制御部３にケーブル２０で接続されている。タンク内圧力を測定し、その検出値をインバータ制御部３に送り、インバータ電源２を制御してコイル９への交流電流を調整する。これにより、タンク内圧力が、法令で規定された１８ｋｇ／ｃｍ２以上とならないように制御することができる。
【００４８】
なお、上記タンク温度検出センサ６、コイル温度検出センサ８及びタンク圧力検出センサ７は、その検出出力をデジタル検出値としてインバータ制御部３に送り、インバータ制御部３にマイコンを設け、デジタル検出値に応じてマイコンでインバータ制御を行うような構成としてもよい。
【００４９】
また、上記実施例１では、インバータ制御部をプロテクタケース２６の外に設置しているが、インバータ制御部をプロテクタケース２６内に設置する構成としてもよい。このようにインバータ制御部をプロテクタケース２６内に設置した場合は、インバータ制御部に対する防爆構造が必要である。
【００５０】
（作用）
以上の構成から成る実施例１の加熱気化装置の作用を説明する。タンク１内に貯蔵された液化ガスは、自然気化により気化して、図示しないガス取出しバルブ、ガス取出し管によりコンロやレンジその他の燃焼機器等に供給される。自然気化が進むと、気化熱を奪うために周囲温度が低下し、また、タンク１内の液化ガスが徐々に少なくなると、タンク壁を介して外気との接触面積が小さくなり、気化熱が不足し自然気化しにくくなる。
【００５１】
このような場合に、本考案の加熱気化装置は、タンク温度検出センサ６でタンク温度を検出し、その検出結果に応じて、インバータ制御部３によってインバータ電源２を制御し、タンクに供給する交流電流を調整又はオン・オフし、コイル９に交流電源を供給してコイル９により生じる磁束によって、タンクの表面に渦電流を発生させる。この渦電流で生じるジュール熱により、タンク１を加熱して、液化ガスを加熱して気化を促進し、低下していた自然気化を補うことができる。
【００５２】
このように本考案の加熱気化装置は、タンク温度を検出することで、加熱気化装置のＩＨヒータ装置５によりタンクを加熱して自然気化の低下を補うものである。そして、タンク温度が法令で上限として規定されている４０℃以上に上昇したり、タンク内圧力が１８ｋｇ／ｃｍ２以上に上昇しないように、タンク温度検出センサ６及びタンク圧力検出センサ７で温度及び圧力を検知し、インバータ制御部３によりインバータ電源２を制御する。
【００５３】
さらに、コイル９自体が高温に加熱しすぎないように、コイル温度検出センサ８でも、コイル９の温度を検出しインバータ制御部３によりインバータ電源２を制御する。
【００５４】
ＩＨヒータ装置５では、万が一、交流電流の供給電線とコイル９の接続部に、短絡などの原因で火花が生じた場合でも、コイル９が防爆ケース１０内に収納されているから、たとえ液化ガスの漏洩があても引火等による事故の危険を防ぐことが可能となる。
【００５５】
そして、ＩＨヒータ装置５はバンド１１によりタンク１に取り付ける構成であるから、ＩＨヒータ装置５を新設する場合の作業、或いはメインテンス作業をきわめて簡単に行うことができ、しかも、地震、風雨、振動等に対してもずれることがなく、しっかりと取り付けることができる。
【実施例２】
【００５６】
図３は、本考案に係る液化ガス貯蔵タンク用加熱気化装置の実施例２の構成を説明する図である。この加熱気化装置は、脚４で支持された竪型の液化ガス貯蔵タンク２４に取り付けられた構成として示されている点で実施例１と相違するが、その他の構成はほぼ同じである。
【００５７】
この加熱気化装置は、実施例１と同様に、インバータ電源２、インバータ制御部３、ＩＨヒータ装置（誘導加熱ヒータ装置）５、タンク温度検出センサ６、タンク圧力検出センサ７を備えている。そして、ＩＨヒータ装置５は、実施例１と同様に、コイル温度検出センサ８及び取付用のバンド１１が設けられている。ＩＨヒータ装置５は、タンク２４の溶接線（タンクの円筒部と端部を溶接して成る線部２９）より若干上方に取り付けられる。
【００５８】
液化ガスは、満タン状態では、タンク２４の上下方向において底２５から８割程度の高さまで貯蔵するが、通常は、残量が満タン状態の３０〜４０％程度になると補給する。従って、ＩＨヒータ装置５は、必ずしもタンクの底２５（本実施例の場合は球面状の底部）に取り付ける必要はない。そこで、ＩＨヒータ装置５は、図３に示すように、竪型のタンク２４の円筒壁１２の下部の外周面にバンド１１で取り付ければよい。
【００５９】
なお、この実施例２についても、タンク温度検出センサ６はＩＨヒータ装置５とは分離して設け（ＩＨヒータ装置５内にタンク温度検出センサ６を組み込んで設けるようなことはしない構成とする。ある程度、距離を離して設ける。）、また、タンク圧力検出センサ７は液取出しバルブ２３に取り付ける構成としている。なお、この実施例２ではプロテクタケースを省略したが、実施例１同様に付設してもよい。さらに、インバータ制御部をプロテクタケース２６内に設置する構成としてもよいのは、実施例１と同様である。
【実施例３】
【００６０】
図４は、本考案に係る液化ガス貯蔵タンク用加熱気化装置の実施例３の構成を説明する図である。この加熱気化装置は、この加熱気化装置は、実施例１と同様に、横型のタンク１に取り付ける構成として示されおり、インバータ電源２、インバータ制御部３、ＩＨヒータ装置（誘導加熱ヒータ装置）５、タンク温度検出センサ６、タンク圧力検出センサ７を備えている。
【００６１】
ＩＨヒータ装置５は、横型のタンクの円筒壁１２の外周面の底部に２つ、それぞれ取付用のバンド１１で取り付けられている。２つのＩＨヒータ装置５は、実施例１と同様に、それぞれコイル温度検出センサ８が設けられている。
【００６２】
この実施例３では横型のタンク１の頂部に施錠可能なプロテクタケース２６を付設し、このプロテクタケース２６内に、液取出しバルブ２３、タンク圧力検出センサ７及び端子ボックス２７が収容されている。プロテクタケース２６は、通常は安全管理上、施錠されており、管理者しかアプローチできない。なお、インバータ制御部をプロテクタケース２６内に設置する構成としてもよいのは、実施例１同様である。
【００６３】
そして、防爆上の観点から、端子ボックス２７内に設けた端子台（図示せず）に、タンク温度検出センサ６、タンク圧力検出センサ７、ＩＨヒータ装置５のコイル温度検出センサ８からのケーブル１９、２０、２１を取り付け、これらケーブルからの検出出力を、さらにケーブル２８（複合ケーブル）でインバータ制御部３に送る構成としている。これにより、タンク温度検出センサ６、タンク圧力検出センサ７及びコイル温度検出センサ８からのケーブル１９、２０、２１は、端子ボックス２７及びケーブル２８を介して、インバータ制御部３に接続される。
【実施例４】
【００６４】
図５は、本考案に係る液化ガス貯蔵タンク用加熱気化装置の実施例４の構成を説明する図である。この実施例４は、実施例３と同様に竪型のタンク２４に取り付ける構成であり、インバータ電源２、インバータ制御部３、ＩＨヒータ装置（誘導加熱ヒータ装置）５、タンク温度検出センサ６、タンク圧力検出センサ７、を備えている。
【００６５】
そして、実施例４は、実施例３と同様に、液取出しバルブ２３、タンク圧力検出センサ７及び端子ボックス２７を収容するプロテクタケース２６を備えている。このプロテクタケース２６は、竪型の円筒壁１２を有するタンク２４の外周面に沿って垂直に取り付けられている。なお、インバータ制御部をプロテクタケース２６内に設置する構成としてもよいのは、実施例３同様である。
【００６６】
以上、本考案に係る液化ガス貯蔵タンク用加熱気化装置の最良の形態を実施例に基づいて説明したが、本考案は特にこのような実施例に限定されることなく、実用新案登録請求の範囲記載の技術的事項の範囲内でいろいろな実施例があることはいうまでもない。
【産業上の利用可能性】
【００６７】
本考案に係る液化ガス貯蔵タンク用加熱気化装置は、液化ガスがタンク内で少なくなり自然気化では気化量が低減化しても、タンク温度をきめ細かく検出し、その検出結果に応じてタンクを加熱することで、気化を促進できるので、ＬＰＧだけでなく、各種の液化ガスを貯蔵し気化して供給するタンクに適用可能である。
【符号の説明】
【００６８】
１、２４ 液化ガス貯蔵タンク 
２ インバータ電源
４ 脚 
３ インバータ制御部 
５ ＩＨヒータ装置（誘導加熱ヒータ装置） 
６ タンク温度検出センサ 
７ タンク圧力検出センサ 
８ コイル温度検出センサ 
９ 誘導加熱用コイル 
１０ 防爆ケース 
１１ 取付け用のバンド 
１２ 円筒壁 
１３ 防爆ケースの取付部 
１４ 防爆ケースの取付部の取付面 
１５ タンクの円筒壁の外周面 
１６ 防爆ケースの取付部以外の残りの部分 
１７ コイルの内面（タンクに対向する面） 
１８ バックル等のバンドの締結具 
１９、２０、２１、２８ ケーブル 
２２ タンクの端部壁
２３ 液取出しバルブ
２３’液取出し口を閉じる栓
２５ 底
２６ プロテクタケース
２７ 端子ボックス
２９ 溶接線
【図１】
0003153422.tif 000003
【図２】
0003153422.tif 000004
【図３】
0003153422.tif 000005
【図４】
0003153422.tif 000006
【図５】
0003153422.tif 000007